(57)【要約】      （修正有）【課題】二段殺菌・ダニ駆除機能を有する空気清浄殺菌ダニ駆除機を提供する。【解決手段】本体ケーシング１０は、吸気口２０が摺接底部１２に、排気口３０が先端面に配置され、本体ケーシングの内部キャビティ１４に空気清浄殺菌ダニ駆除モジュール４０が配置される。空気清浄殺菌ダニ駆除モジュールは、濾過材４１、デュアルバンドの紫外線ランプ４２、石英ガラスパネル４３、及び循環ファン４４を含む。濾過材は、排気口の位置と対応する。デュアルバンドの紫外線ランプは、本体ケーシングの内部キャビティに、吸気口と排気口との間に配置される。石英ガラスパネルは、デュアルバンドの紫外線ランプの位置と対応し、摺接底部から露出するように摺接底部に配置される。デュアルバンドの紫外線ランプが発生する紫外線は、石英ガラスパネルを通して摺接底部から射出する。循環ファンは、吸気口と対応するように本体ケーシングの内部キャビティ内に配置される。【選択図】図２
0003223624.tif 000002
【実用新案登録請求の範囲】
【請求項１】
本体ケーシング、吸気口、排気口、及び空気清浄殺菌ダニ駆除モジュールを含む手持ち型空気清浄殺菌ダニ駆除機であって、
前記本体ケーシングは、上下に対向する手持ち側上面及び摺接底部と、前記手持ち側上面と前記摺接底部との間に位置される先端面と、を備え、
前記摺接底部に前記吸気口が配置され、前記先端面に前記排気口が配置され、前記本体ケーシングの内部キャビティ内に前記空気清浄殺菌ダニ駆除モジュールが配置され、
前記空気清浄殺菌ダニ駆除モジュールは、濾過材、デュアルバンドの紫外線ランプ、石英ガラスパネル、及び循環ファンを含み、
前記濾過材は、前記排気口の位置と対応するように、前記本体ケーシングの内部キャビティに配置され、
前記デュアルバンドの紫外線ランプは、前記本体ケーシングの内部キャビティ内に、前記吸気口と前記排気口との間に位置され、
前記石英ガラスパネルは、前記本体ケーシングの内部キャビティ内に、前記摺接底部から露出するように前記摺接底部に配置され、前記石英ガラスパネルが前記デュアルバンドの紫外線ランプの位置に対応するように位置され、
前記デュアルバンドの紫外線ランプが発生したデュアルバンドの紫外線は、前記石英ガラスパネルを通して前記摺接底部から射出し、
前記循環ファンは、前記吸気口と対応するように、前記本体ケーシングの内部キャビティに配置される、ことを特徴とする、手持ち型空気清浄殺菌ダニ駆除機。
【請求項２】
前記本体ケーシングは、手持ちで摺動可能な横置きケーシングである、請求項１に記載する手持ち型空気清浄殺菌ダニ駆除機。
【請求項３】
前記濾過材は、触媒フィルタースクリーン、活性炭フィルタースクリーン、ＨＥＰＡフィルタースクリーンから選ばれる少なくとも１つ、またはそれらの組み合わせである、請求項１に記載する手持ち型空気清浄殺菌ダニ駆除機。
【請求項４】
前記デュアルバンドの紫外線ランプは、波長帯域が２５４ｎｍ及び１８５ｎｍの紫外線ランプである、請求項１に記載する手持ち型空気清浄殺菌ダニ駆除機。
【請求項５】
前記循環ファンは、円筒ファンであり、
前記循環ファンは、前記摺接底部の前記吸気口から吸い込まれた空気を直線に水平方向に従って前記デュアルバンドの紫外線ランプを通して、前記先端面の前記排気口まで導かれるように配置される、請求項１に記載する手持ち型空気清浄殺菌ダニ駆除機。
【請求項６】
前記手持ち側上面にハンドルが配置され、
前記ハンドルは、前記摺接底部を特定な摺動方向に従って移動させるように配置される、請求項５に記載する手持ち型空気清浄殺菌ダニ駆除機。
【考案の詳細な説明】
【技術分野】
【０００１】
本考案は、空気清浄殺菌ダニ駆除機に関し、特に二段殺菌・ダニ駆除機能が果たせる手持ち型空気清浄殺菌ダニ駆除機に関する。
【背景技術】
【０００２】
ベッドは人々にとって重要な休憩場所であり、人間の一生では、３分の１がベッドで過ごし、かつ、マットレスは暖かく、湿った、そして食物の供給源を提供するための最良の環境であるため、家の中のマットレスはダニの最大の発生源ともいえる。一般的に、ダニに対する対策として最も簡単で実行可能な方法はその成長特性を利用することである。ダニは、摂氏２５度から３５度の間で成長することを好むため、通常、摂氏４５度で１時間半、５０度で７分、６０度で３０秒でダニを殺すことができる。しかしながら、マットレスは通常高温で熱を通してダニ除去することができないため、ほとんどの人は他の方法はなくダニの侵入に耐えることしかできず、それは人間の健康を深刻に危険にされている。そこで、本考案の創作者は長年にわたり関連製品の開発設計に携わってきており、上記欠陥を改善することができると考え、研究に専念し、理論の応用に協力し、上記欠陥の改善に合理的かつ有効な本考案を提案した。
【考案の概要】
【考案が解決しようとする課題】
【０００３】
本考案が主に解決しようとする課題は、現有の技術な不足に対し手持ち型空気清浄殺菌ダニ駆除機を提供することにある。
【課題を解決するための手段】
【０００４】
上記の技術的な課題を解決するために、本考案が採用する技術手段の１つとしては、下記のような手持ち型空気清浄殺菌ダニ駆除機を提供する。当該手持ち型空気清浄殺菌ダニ駆除機は、本体ケーシング、吸気口、排気口、及び空気清浄殺菌ダニ駆除モジュールを含む。前記本体ケーシングは、上下に対向する手持ち側上面及び摺接底部と、前記手持ち側上面と前記摺接底部との間に位置される先端面と、を含む。前記摺接底部に前記吸気口が配置され、前記先端面に前記排気口が配置され、かつ、前記本体ケーシングの内部キャビティ内に前記空気清浄殺菌ダニ駆除モジュールが配置される。なかでも、前記空気清浄殺菌ダニ駆除モジュールは、濾過材、デュアルバンドの紫外線ランプ、石英ガラスパネル、及び循環ファンを含む。前記濾過材は、前記排気口の位置と対応するように、前記本体ケーシングの内部キャビティに配置される。前記デュアルバンドの紫外線ランプは、前記本体ケーシングの内部キャビティ内に、前記吸気口と前記排気口との間に配置される。前記石英ガラスパネルは、前記デュアルバンドの紫外線ランプの位置と対応するように、前記本体ケーシングの内部キャビティ内に、前記摺接底部から露出するように前記摺接底部に配置される。前記デュアルバンドの紫外線ランプが発生するデュアルバンドの紫外線は、前記石英ガラスパネルを通して前記摺接底部から射出する。前記循環ファンは、前記吸気口の位置と対応するように、前記本体ケーシングの内部キャビティに配置される。
【０００５】
特定の好ましい実施形態において、前記本体ケーシングは、手持ちで摺動可能な横置きケーシングである。
【０００６】
特定の好ましい実施形態において、前記濾過材は、触媒フィルタースクリーン、活性炭フィルタースクリーン、又はＨＥＰＡフィルタースクリーンから選ばれる少なくとも１つ又はそれらの組み合わせである。
【０００７】
特定の好ましい実施形態において、前記デュアルバンドの紫外線ランプは、波長帯域が２５４ｎｍ及び１８５ｎｍの紫外線ランプである。
【０００８】
特定の好ましい実施形態において、前記循環ファンは、円筒ファンであり、それは前記摺接底部の前記吸気口から吸い込んだ空気を直線に水平方向に従って前記デュアルバンドの紫外線ランプを経過して、前記先端面の前記排気口まで導くようにする。
【０００９】
特定の好ましい実施形態において、前記手持ち側上面に、前記摺接底部を特定の摺動方向に従って移動させるために、ハンドルが配置される。
【考案の効果】
【００１０】
本考案による有益な効果の１つとしては、本考案が提供する手持ち型空気清浄殺菌ダニ駆除機は、濾過材、デュアルバンドの紫外線ランプ、石英ガラスパネル、及び循環ファンを備えることにより、デュアルバンドの紫外線ランプが発生したデュアルバンドの紫外線は、機械の摺接底部から出射して、第１段階のダニ消滅を行ってから、さらにダニを機関の摺接底部から吸い込んで、第２段階のダニ消滅を行い、それにより徹底的に、効果的にダニを殺すようにする。また、デュアルバンドの紫外線ランプがデュアルバンドの（２５４ｎｍ、１８５ｎｍ）を有することにより、本考案の手持ち型空気清浄殺菌ダニ駆除機は効果的に空気中のダニ、細菌およびウイルスを殺すことができる。最後に、循環ファンを円筒ファンに形成することにより、本体ケーシング摺接底部の吸気口から空気を吸い込んで、そして濾過され殺菌された清浄な空気を本体ケーシングの先端面の排気口から排出し、それにより空気を浄化しながらダニを排除する目的を達成し、より健康に役立つ。
【図面の簡単な説明】
【００１１】
【図１】本考案に係る手持ち型空気清浄殺菌ダニ駆除機を示す立体模式図である。
【図２】本考案に係る手持ち型空気清浄殺菌ダニ駆除機を示す内部模式図である。
【図３】本考案に係る手持ち型空気清浄殺菌ダニ駆除機を支援する動作模式図である。
【考案を実施するための形態】
【００１２】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１３】
本開示は、その中の多数の修正および変形が当業者に明らかであるので、例示としてのみ意図される以下の実施例においてより詳細に記載される。図面中の類似の番号は、図面を通して類似の構成要素を示す。なお、この考案の図面はあくまで説明のためのものであり、実際の大きさに応じて予め記載されているわけではない。以下の実施形態は、本考案の関連技術内容をさらに説明するが、本開示は本試験の保護範囲を限定することを意図するものではない。
【００１４】
図１、２、３を参照する。本考案は、手持ち型空気清浄殺菌ダニ駆除機を提供する。本考案が提供する手持ち型空気清浄殺菌ダニ駆除機の主な構成要素では、本体ケーシング１０、吸気口２０、排気口３０、及び空気清浄殺菌ダニ駆除モジュール４０などの要素である。下記に本体ケーシング１０、吸気口２０、排気口３０、及び空気清浄殺菌ダニ駆除モジュール４０についてさらに説明し、そして適当な場合に又互いの構成完形を説明する。
【００１５】
本実施形態において、本体ケーシング１０は、手持ちで摺動可能な横置きケーシングであってもよい。本体ケーシング１０は、上下に対向する手持ち側上面１１及び摺接底部１２と、手持ち側上面１１と摺接底部１２との間に位置される先端面１３とを含む。図２に示すように、本体ケーシング１０の摺接底部１２に吸気口２０が配置され、本体ケーシング１０の先端面１３に排気口３０が配置され、本体ケーシング１０の内部キャビティ１４に空気清浄殺菌ダニ駆除モジュール４０が配置される。
【００１６】
本実施形態において、空気清浄殺菌ダニ駆除モジュール４０包含有濾過材４１、デュアルバンドの紫外線ランプ４２、石英ガラスパネル４３、及び循環ファン４４。
【００１７】
濾過材４１は、排気口３０の位置と対応するように本体ケーシング１０の内部キャビティ１４に配置される。濾過材４１は、例えば、取り外し可能なフィルタースクリーンである。詳しく言えば、フィルター材４１は、例えば、ホルムアルデヒド、ベンゼン、ＴＶＯＣ（揮発性有機化合物）の吸着と分解に使用される触媒フィルタースクリーンであってもよい。フィルター材４１としては、例えば、すばやく臭いを吸収し、トルエン、ベンゼン、煙を分解するために使用される活性炭フィルタースクリーンであってもよい。フィルター材４１は、空気中の塵埃を効率よくろ過するために使用されるＨＥＰＡフィルタースクリーン（高性能フィルタースクリーン）であってもよい。そのため、フィルター材４１は、単一フィルタースクリーン又は複合フィルタースクリーンであり、即ち、フィルター材４１としては、触媒フィルタースクリーン、活性炭フィルタースクリーン、ＨＥＰＡフィルタースクリーンから選ばれる１つであってもよいし、それらの組み合わせであってもよい。また、フィルター材４１菌とカビ除去機能を持たせるようにナノ銀でコーティングすることもできる。
【００１８】
デュアルバンドの紫外線ランプ４２は、本体ケーシング１０の内部キャビティ１４内に、吸気口２０と排気口３０との間に配置される。デュアルバンドの紫外線ランプ４２の個数は１つ又は複数であってもよいが、ここでは制限されない。また、デュアルバンドの紫外線ランプ４２また、紫外線ランプ４２は、実際の設計ニーズまたはユーザーニーズに従って、単管ＵＶ−Ｃ（Ｕｌｔｒａｖｉｏｌｅｔｒａｙ−Ｃ）紫外線ランプ、または多管ＵＶ−Ｃ紫外線ランプ、または直管型、Ｈ管型およびＵ管型の紫外線ランプであり得るため、本実施形態にデュアルバンドの紫外線ランプ４２の形態又は数量については制限されない。
【００１９】
石英ガラスパネル４３は、本体ケーシング１０の内部キャビティ１４内に配置される。石英ガラスパネル４３は、デュアルバンドの紫外線ランプ４２の位置と対応するように、本体ケーシング１０の摺接底部１２から露出するように摺接底部１２配置される。石英ガラスパネル４３は、デュアルバンドの紫外線ランプ４２が発生するデュアルバンドの紫外線が石英ガラスパネル４３を通して摺接底部１２から出射するように配置されている。
【００２０】
本実施形態において、デュアルバンドの紫外線ランプ４２は、波長範囲が２５４ｎｍ及び１８５ｎｍの紫外線ランプである。なかでも、波長範囲が２５４ｎｍの紫外線は、空気中のバクテリアやウィルスを直接照らし殺すことができる。波長範囲が１８５ｎｍの紫外線は空気中の酸素（Ｏ２）をオゾン（Ｏ３）に変換し、オゾンによる強力な酸化性で空気中のバクテリアやウイルスを殺すことができる。
【００２１】
循環ファン４３は、吸気口２０の位置と対応するように、本体ケーシング１０の内部キャビティ１４に配置される。本実施形態における循環ファン４３は、一般的なブレードファンと比較して、より良い外気吸引力と空気伝導の効率を持つために、円筒ファンに構成されることが好ましい。それが回転する場合、本体ケーシング１０の摺接底部１２の吸気口２０から吸い込まれた空気を直線に水平方向に従ってデュアルバンドの紫外線ランプ４２を通して本体ケーシング１０の先端面１３の排気口３０まで導くことができる。
【００２２】
本実施形態において、本体ケーシング１０の手持ち側上面１１にさらにハンドル１５が設けられ、それは手持ちの便利さに加えて、本体ケーシング１０の摺接底部１２を特定の摺動方向に従って摺動させるのにさらに便利となる。
【００２３】
本考案の実施形態における前記手持ち型空気清浄殺菌ダニ駆除機が利用される場合、図３に示しように、ハンドル１５により、手持ち型空気清浄殺菌ダニ駆除機の摺接底部１２を特定な摺動方向Ｓに従ってマットレスで移動される。作業中に、デュアルバンドの紫外線ランプ４２が発生したデュアルバンドの（２５４ｎｍ、１８５ｎｍ）紫外線は、石英ガラスパネル４３を通して摺接底部１２から出射することにより、予備的にマットレスに存在するダニを消滅し、そして、摺接底部１２が摺動方向Ｓに従って移動続けて、完全に殺されていないダニでは、摺接底部１２の吸気口から吸い込まれ、内部キャビティ１４の中で水平方向の気流に従ってデュアルバンドの紫外線ランプ４２を再び通過して、第２段階のダニ消滅を行い、最後に、細菌・カビを滅菌できる濾過材４１により、最終的な濾過を行ってから、濾過・滅菌された清浄な空気を排気口３０から排出させる。
【００２４】
上記を纏めて、本考案が提供する手持ち型空気清浄殺菌ダニ駆除機は、濾過材、デュアルバンドの紫外線ランプ、石英ガラスパネル、及び循環ファンを備えることにより、デュアルバンドの紫外線ランプが発生したデュアルバンドの紫外線は、機械の摺接底部から射出し、第１段階のダニ消滅を行い、そして、ダニを機械の摺接底部から吸い込んで第２段階のダニ消滅を行い、それにより、ダニをより徹底的に取り除き、ダニを効果的に殺すことができる。さらに言えば、フィルター材４１は、空気中のほこりを吸着するためのフィルタースクリーン、又は空気臭を吸着するための活性炭フィルタースクリーン、又は空気中の塵埃をろ過するために使用されるＨＥＰＡフィルタースクリーン、或いは、細菌やカビを滅菌するための複合フィルタースクリーンに構成されることにより、本考案の手持ち型空気清浄殺菌ダニ駆除機は、濾過材４１により、最後の濾過を行うことができる。また、デュアルバンドの紫外線ランプまた、が２５４ｎｍ、１８５ｎｍのデュアルバンドを有することにより、本考案の殺菌空気清浄機は、空気に存在するバクテリアやウィルスを滅菌することができる。最後に、循環ファンが円筒ファンに構成され、本体ケーシングの摺接底部の吸気口から空気を吸い込んで、その空気をさらに濾過し殺菌して、清浄な空気を本体ケーシングの先端面の排気口から排出させることにより、ダニを排除し、空気を浄化するという目的を達成し、そしてより健康に資するものである。
【００２５】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００２６】
１０：本体ケーシング
１１：手持ち側上面
１２：摺接底部
１３：先端面
１４：内部キャビティ
１５：ハンドル
２０：吸気口
３０：排気口
４０：空気清浄殺菌ダニ駆除モジュール
４１：濾過材
４２：デュアルバンドの紫外線ランプ
４３：石英ガラスパネル
４４：循環ファン
Ｓ    ：摺動方向        
【図１】
0003223624.tif 000003
【図２】
0003223624.tif 000004
【図３】
0003223624.tif 000005
【手続補正書】
【提出日】令和1年8月26日(2019.8.26)
【手続補正１】
【補正対象書類名】実用新案登録請求の範囲
【補正対象項目名】全文
【補正方法】変更
【補正の内容】
【実用新案登録請求の範囲】
【請求項１】
本体ケーシング、吸気口、排気口、及び空気清浄殺菌ダニ駆除モジュールを含む手持ち型空気清浄殺菌ダニ駆除機であって、
前記本体ケーシングは、上下に対向する手持ち側上面及び摺接底部と、前記手持ち側上面と前記摺接底部との間に位置される先端面と、を備え、
前記摺接底部に前記吸気口が配置され、前記先端面に前記排気口が配置され、前記本体ケーシングの内部キャビティ内に前記空気清浄殺菌ダニ駆除モジュールが配置され、
前記空気清浄殺菌ダニ駆除モジュールは、濾過材、デュアルバンドの紫外線ランプ、石英ガラスパネル、及び循環ファンを含み、
前記濾過材は、前記排気口の位置と対応するように、前記本体ケーシングの内部キャビティに配置され、
前記デュアルバンドの紫外線ランプは、前記本体ケーシングの内部キャビティ内に、前記吸気口と前記排気口との間に位置され、
前記石英ガラスパネルは、前記本体ケーシングの内部キャビティ内に、前記摺接底部から露出するように前記摺接底部に配置され、前記石英ガラスパネルが前記デュアルバンドの紫外線ランプの位置に対応するように位置され、
前記デュアルバンドの紫外線ランプが発生したデュアルバンドの紫外線は、前記石英ガラスパネルを通して前記摺接底部から射出し、
前記循環ファンは、前記吸気口と対応するように、前記本体ケーシングの内部キャビティに配置される、ことを特徴とする、手持ち型空気清浄殺菌ダニ駆除機。
【請求項２】
前記本体ケーシングは、手持ちで摺動可能な横置きケーシングである、請求項１に記載する手持ち型空気清浄殺菌ダニ駆除機。
【請求項３】
前記濾過材は、触媒フィルタースクリーン、活性炭フィルタースクリーン、ＨＥＰＡフィルタースクリーンから選ばれる少なくとも１つ、またはそれらの組み合わせである、請求項１に記載する手持ち型空気清浄殺菌ダニ駆除機。
【請求項４】
前記デュアルバンドの紫外線ランプは、波長帯域が２５４ｎｍ及び１８５ｎｍの紫外線ランプである、請求項１に記載する手持ち型空気清浄殺菌ダニ駆除機。
【請求項５】
前記循環ファンは、円筒ファンであり、
前記循環ファンは、前記摺接底部の前記吸気口から吸い込まれた空気を直線に水平方向に従って前記デュアルバンドの紫外線ランプを通して、前記先端面の前記排気口まで導かれるように配置される、請求項１に記載する手持ち型空気清浄殺菌ダニ駆除機。